(57)【要約】【課題】遊技球が遊技盤面上から、レールに誘導される遊技球が通過する領域に設置された遊技球通過部上にスムーズに乗り上がる乗上辺が遊技通過部に形成された遊技機を提供する。【解決手段】遊技機１は、遊技盤上に打球誘導レール３や遊技領域形成レール４を設置することにより、これらレールで囲まれた遊技域を有する遊技機である。この遊技機１は、遊技域５のうち、打球誘導レール３に誘導される遊技球が通過する領域に設置され、遊技球が遊技盤上から乗り上がる遊技球通過部８を備え、遊技球通過部８が有する辺であって、遊技球が遊技盤上から遊技球通過部８上に乗り上げるための傾斜が形成された乗上辺が、打球誘導レール３に近づくほど傾斜の幅が狭まり、かつ、傾斜の下辺が打球誘導レール３に対し放物線状に漸次近づく形状に形成されている。【選択図】図１
2015231477.tif 000002
【特許請求の範囲】
【請求項１】
遊技盤上にレールを設置することにより、前記レールで囲まれた遊技域を有する遊技機であって、
前記遊技域のうち、前記レールに誘導される遊技球が通過する領域に設置され、前記遊技球が遊技盤上から乗り上がる遊技球通過部を備え、
前記遊技球通過部が有する辺であって、前記遊技球が前記遊技盤上から前記遊技球通過部上に乗り上げる乗上辺に形成された斜面は、
前記レールに近づくほど幅が狭まり、かつ、下方側の画定線が前記レールに対し放物線状に漸次近づく形状に形成されていることを特徴とする遊技機。
【請求項２】
請求項１に記載の遊技機において、
前記遊技球通過部は、
前記遊技域に設置された図柄表示装置の周囲を装飾する装飾部材の一部であることを特徴とする遊技機。
【請求項３】
請求項２に記載の遊技機で用いられる装飾部材であって、
前記遊技球通過部を一部に有することを特徴とする装飾部材。
【発明の詳細な説明】
【技術分野】
【０００１】
本発明は、遊技機、及び、その装飾部材に関する。
【背景技術】
【０００２】
遊技機１００は、図３に示すように、遊技場に設置されたときに遊技者に対向して配置される遊技盤１０１を備えており、この遊技盤１０１上に、打球誘導レール１０２や遊技領域形成レール１０３が設置される。
【０００３】
そして、これら打球誘導レール１０２や遊技領域形成レール１０３を遊技盤１０１上に設置すると、これらによって遊技盤１０１上の一定領域が囲まれる。
この打球誘導レール１０２や遊技領域形成レール１０３で囲まれた領域は遊技域１０４と呼ばれ、この遊技域１０４の内側には、図柄が変動する様子を表示する図柄表示装置１０５や、その装飾部材１０６、入賞装置等が設置される。
【０００４】
このうち、図柄表示装置１０５は遊技域１０４のほぼ中央に設置され、装飾部材１０６はその周囲に設置される。
ところで、この装飾部材１０６は近年大型化が図られており、打球誘導レール１０２に近接する位置まで張り出した大きさのものもある。
【０００５】
この場合、装飾部材１０６のうち、打球誘導レール１０２から所定幅の範囲内に位置する部分であって、打球誘導レール１０２によって誘導される遊技球が通過することが予定されている部分に設置される部分（以下、「遊技球通過部１０７」という）は、遊技球が通過する部分であるため遊技球が通過しない他の部分よりも薄肉に形成される。
【０００６】
しかし、装飾部材１０６は、遊技盤１０１に対して安定的に固定するようにするため、この遊技球通過部１０７が形成される部分でもネジ止めがなされる。
そのため、遊技球通過部１０７は、薄肉に形成するとしても、ネジ止めに耐えうるような厚みを有するものとなる。
【０００７】
そして、遊技球通過部１０７がこのような厚みを有するものであるので、遊技球通過部１０７が形成する辺であって、遊技球が遊技盤１０１上から遊技球通過部１０７上に乗り上がる辺（以下「乗上辺１０８」という）には、遊技球を乗り上がりやすくするための斜面が形成されている。
【発明の概要】
【発明が解決しようとする課題】
【０００８】
しかし、この乗上辺１０８に形成された斜面は、乗上辺の一端から他端までほぼ同じ幅で形成されており、しかもその幅は狭く、加えて、その長手方向（乗上辺の一端から他端に向かう方向、幅方向に対して垂直な方向）が遊技球の軌道に対して垂直に近い方向を向くように、遊技球通過部１０７が遊技盤１０１上に設置されていた。
【０００９】
そのため、従来の遊技機１００では、右打ちの場合などのように、遊技球が一定のリズムで同じ強さで打ち出されて乗上辺１０８に当たると、各遊技球が、次々に跳ね上がり、遊技域１０４を覆っているガラスの同じ場所に打ち出された強さが弱まることなく繰り返し当たり、ガラスの破損の原因となっていた。
【００１０】
そこで、本発明は、遊技球が遊技盤面上から、レールに誘導される遊技球が通過する領域に設置された乗上辺において、各遊技球が、次々に乗り上がり、遊技域を覆っているガラスに当たったとしてもガラスに当たる強さを弱めることのできる形状とすることでガラスの破損がし難い遊技機を提供することを目的とする。
【課題を解決するための手段】
【００１１】
本発明の請求項１に係る遊技機は、遊技盤上にレールを設置することにより、前記レールで囲まれた遊技域を有する遊技機であって、
前記遊技域のうち、前記レールに誘導される遊技球が通過する領域に設置され、前記遊技球が遊技盤上から乗り上がる遊技球通過部を備え、
前記遊技球通過部が有する辺であって、前記遊技球が前記遊技盤上から前記遊技球通過部上に乗り上げる乗上辺に形成された斜面は、
前記レールに近づくほど幅が狭まり、かつ、下方側の画定線が前記レールに対し放物線状に漸次近づく形状に形成されていることを特徴とする。
【００１２】
この遊技機では、乗上辺に形成されている斜面が、レールに近づくほど幅が狭まり、かつ、下方側の画定線がレールに対し放物線状に漸次近づく形状に形成されているため、遊技球がこの斜面を利用して遊技盤面上から遊技球通過部上に乗り上がるとき、遊技球をレール側に押し付けながら乗り上がる。
【００１３】
そのため、本発明の遊技機では、遊技球が通過する領域に遊技球通過部を設置しても、乗上辺で遊技球が跳ね上がって、遊技域を覆っているガラスに強く当たることなく、ガラスの破損がし難くなる。
【００１４】
次に、請求項２に記載した遊技機や、請求項３に記載した装飾部材のように、遊技球通過部は、遊技域に設置された図柄表示装置の周囲を装飾する装飾部材の一部であってもよい。
【００１５】
近年、装飾部材が大型化しているが、レール近傍にまで達する大きさの装飾部材であっても、レールに誘導される遊技球が通過する領域に達する部分については、遊技球通過部が形成されるようにすれば、装飾部材を遊技域内で最大限に大きくすることが可能となる。
【００１６】
また、本発明の遊技機では、乗上辺の形状を遊技球が当たっても跳ね上がらない形状とすることで、遊技球通過部の厚みをネジ止め可能な厚みに形成することができることから、装飾部材を大型化しても遊技盤上に確実に固定することができる。
【図面の簡単な説明】
【００１７】
【図１】本実施形態の遊技機の正面図であり、遊技域及びその近傍部分を示している。
【図２】遊技球通過部の断面図であって、図１のＩＩＡ−ＩＩＡ断面図である。
【図３】従来の遊技機の正面図であり、遊技域及びその近辺部分を示している。
【発明を実施するための形態】
【００１８】
以下に本発明の実施形態を図面と共に説明する。
本実施形態の遊技機１は、その内部に図示しない打球発射装置と、遊技者が操作することにより打球発射装置を作動させる図示しない打球操作ハンドルを備える構成の遊技機である。
【００１９】
遊技機１は、図１に示すように、遊技場に設置されたときに遊技者に対向して配置される遊技盤２を備えており、この遊技盤２上に、打球誘導レール３や遊技領域形成レール４が設置される。
【００２０】
打球誘導レール３は、打球発射装置によって打ち出された遊技球を誘導するレールであり、遊技領域形成レール４は、打ち出された遊技球が一定範囲内で飛球するよう設けられたレールである。
【００２１】
遊技機１では、これら打球誘導レール３及び遊技領域形成レール４によって遊技盤２上の一定の領域を囲っている。この囲われた領域は遊技域５と呼ばれている。
そして、この遊技域５の中央には、図柄が変動する様子を表示する図柄表示装置６が設置され、さらに、この図柄表示装置６の周囲には装飾部材７が設置されている。
【００２２】
また、装飾部材７のさらに外側には、各種の遊技部材が設置されている。
遊技部材としては、例えば、風車５１、始動入賞装置５２、大入賞口装置５３、アウト口５４等が設けられている。
【００２３】
また、遊技機１には、これらの他にも各種装置が設置されているが、遊技機が一般的に備える構成なので、さらなる説明については省略する。
このように構成される遊技機１では、遊技者の打球操作ハンドルの操作により、打球発射装置から遊技球が発射され、打球誘導レール３と遊技領域形成レール４の間を通って遊技球が遊技域５に打ち出される。
【００２４】
そして、遊技球は遊技域５を自重により落下し、落下する過程において、遊技域５に植設される図示しない遊技釘や風車５１によって落下する方向に変化を与えられ、始動入賞装置５２が備える始動入賞口や大入賞口装置５３が備える大入賞口に入賞する。
【００２５】
一方、入賞しなかった遊技球はアウト口５４内に落下する。
遊技球が始動入賞口に入賞した場合には、所定の賞品球を遊技者に与えると共に、図柄表示装置６に図柄が変動する様子が表示され、確定表示された図柄が予め定められた図柄の組合せである場合には、大入賞口装置５３が大入賞口を所定の態様で開放するようになっている。
【００２６】
本実施形態の遊技機１は、装飾部材７が、正面から見た場合に遊技域５の最上部位置の右側に位置する領域であって、遊技域５の上部を囲う打球誘導レール３に近接する位置まで張り出している。
【００２７】
ただし、この張り出した部分のうち、打球誘導レール３から所定幅の部分であって、打球誘導レール３によって誘導される遊技球が通過することが予定されている部分は、遊技球が通過しない他の部分に比べて薄肉に形成されている。
【００２８】
装飾部材７のうち、この薄肉に形成された部分については、以下、遊技球通過部８と呼ぶ。
この遊技球通過部８の左辺（遊技球が遊技球通過部８に向かって誘導されてくる側の辺）には、図２に示すように、遊技球が遊技盤２上から遊技球通過部８上に乗り上げるための斜面９０が形成されている。この斜面９０が形成された辺を、以下「乗上辺９」と呼ぶ。
【００２９】
この乗上辺９に形成された斜面９０は、図１に示すように、打球誘導レール３に近づくほど幅が狭まり、かつ、下方側の画定線９１が打球誘導レール３に対し放物線状に漸次近づく形状に形成されている。
【００３０】
このような斜面９０が形成された遊技球通過部８に、図示しない打球発射装置から遊技球を発射すると、打球誘導レール３に誘導されて乗上辺９に到達した遊技球は、斜面９０によって遊技球通過部８上にスムーズに乗り上がる。
【００３１】
これは、乗上辺９に形成されている斜面９０が、打球誘導レール３に近づくほど幅が狭くなり、かつ、下方側の画定線９１が打球誘導レール３に対し放物線状に漸次近づく形状に形成されているため、遊技球がこの斜面９０を利用して遊技盤２面上から遊技球通過部８上に乗り上がるとき、遊技球を打球誘導レール３側に押し付けながら乗り上がるからである。
【００３２】
そのため、本実施形態の遊技機１では、遊技球が通過する領域に遊技球通過部８を設置しても、乗上辺９に設けられた斜面９０によって、遊技球は、跳ね上がることなく、遊技盤２上から遊技球通過部８上にスムーズに乗ることができるのでガラスの破損がし難くなる。
【００３３】
また、近年、装飾部材７が大型化しているが、打球誘導レール３近傍にまで達する大きさの装飾部材７であっても、打球誘導レール３に誘導される遊技球が通過する領域に達する部分については、遊技球通過部８が形成されるように構成すれば、装飾部材７を最大限に大きくすることが可能となる。
【００３４】
また、遊技機１では、乗上辺９の斜面９０の形状を遊技球が当たっても跳ね上がらない形状とすることで、遊技球通過部８の厚みをネジ止め可能な厚みに形成することができることから、装飾部材７が大型化しても装飾部材７を遊技盤２上に確実に固定することができる。
［他の実施形態］
以上、実施形態について説明したが、特許請求の範囲に記載された発明は、上記実施形態に限定されることなく、種々の形態を取りうることは言うまでもない。
【００３５】
（１）上記実施形態で説明した遊技機１はあくまでも一例であり、これに限定されるものではない。
（２）上記実施形態では、遊技球通過部８が正面から見た場合に遊技域５の最上部位置の右側に位置する領域に位置する例について説明したが、遊技球通過部８が位置する場所としては、上記実施形態で示した位置に限られるものではない。
【符号の説明】
【００３６】
１… 遊技機
２… 遊技盤
３… 打球誘導レール
４… 遊技領域形成レール
５… 遊技域
６… 変動表示装置
７… 装飾部材
８… 遊技球通過部
９… 乗上辺
５１… 風車
５２… 始動入賞装置
５３… 大入賞口装置
９０… 斜面
９１… 画定線
【図１】
2015231477.tif 000003
【図２】
2015231477.tif 000004
【図３】
2015231477.tif 000005